(57)【特許請求の範囲】
【請求項１】
装置本体、および当該装置本体を支持する支持部材を備えて、設置面に対して当該装置本体を傾けた状態で設置可能に構成された測定装置であって、
前記支持部材は、前記装置本体の側面を取り囲むようにして配設される枠部と、当該枠部の四隅に取り付けられて当該枠部を支持する４つの脚部と、前記設置面に対して平行となるように前記枠部に配設される回動軸とを備え、前記装置本体を前記設置面から離間させた状態で前記回動軸を中心として回動可能に軸支すると共に、前記４つの脚部を前記設置面に接触させることで前記枠部の開口面を上向きにした状態で前記装置本体を軸支する第１の支持姿勢、および当該４つの脚部のうちの２つを当該設置面に接触させることで当該開口面を横向きにした状態で当該装置本体を軸支する第２の支持姿勢の少なくとも２つの姿勢で設置可能に構成されている測定装置。
【請求項２】
装置本体、および当該装置本体を支持する支持部材を備えて、設置面に対して当該装置本体を傾けた状態で設置可能に構成された測定装置であって、
前記支持部材は、底板および背板で形成される側面視Ｌ字状のベース部と、当該ベース部に取り付けられたステーと、前記設置面に対して平行となるように前記ステーに配設される回動軸とを備え、前記装置本体を前記設置面から離間させた状態で前記回動軸を中心として回動可能に軸支すると共に、前記底板を前記設置面に対向させた状態で当該装置本体を軸支する第１の支持姿勢、および前記背板を前記設置面に対向させた状態で前記装置本体を軸支する第２の支持姿勢の少なくとも２つの姿勢で設置可能に構成されている測定装置。
【請求項３】
前記回動軸としての第１の固定用ねじと、前記支持部材に対する前記装置本体の回動を規制する第２の固定用ねじとを備え、
前記支持部材には、前記第１の固定用ねじを挿通させる第１の挿通孔、および前記第２の固定用ねじを挿通させる第２の挿通孔が形成され、
前記装置本体には、前記第１の固定用ねじをねじ込み可能な第１のねじ穴、および前記第２の固定用ねじをねじ込み可能な複数の第２のねじ穴が形成され、
前記各第２のねじ穴は、前記第１の挿通孔を介して前記第１の固定用ねじが前記装置本体における前記第１のねじ穴にねじ込まれている状態において前記第２の挿通孔を介して前記第２の固定用ねじを当該装置本体にねじ込み可能な位置に形成されている請求項１記載の測定装置。
【請求項４】
前記装置本体には、前記第１のねじ穴が複数形成され、
前記各第１のねじ穴は、前記第２の挿通孔を介して前記第２の固定用ねじが前記複数の第２のねじ穴のいずれかにねじ込まれている状態において前記第１の挿通孔を介して前記第１の固定用ねじを当該装置本体にねじ込み可能な位置に形成されている請求項３記載の測定装置。
【発明の詳細な説明】
【技術分野】
【０００１】
本発明は、設置面に対して装置本体を傾けた状態で設置可能に構成された測定装置に関するものである。
【背景技術】
【０００２】
この種の測定装置として、測定器本体および保護カバーを備えて構成された測定器が特開平７−３０６２２７号公報に開示されている。この場合、測定器本体は、表示部や切換スイッチ等が表面（正面）に配設されると共に、保護カバーの係合が可能な一対の係合部（案内溝および係止穴）と、保護カバーの回動を規制するストッパーが側壁（側面）に設けられている。一方、保護カバーは、上記の係合部に係合可能な軸（凸部）が形成された一対の保持板と、上記のストッパーにおける凹部に係合可能な係合凸部とが形成されている。
【０００３】
この測定器では、収納時や携行時などにおいては、測定器本体の表面に保護カバーを取り付けることで、表示部や切換スイッチ等が保護カバーによって覆われて保護される。また、測定器の使用に際しては、測定器本体から保護カバーを取り外して上記の軸を測定器本体の係合部に係合させるようにして測定器本体の裏面側に保護カバーを取り付けて、測定器本体および保護カバーが側面視ハ字状となるようにして設置する。この際には、保護カバーの係合凸部が測定器本体のストッパ（凹部）に係合することにより、測定器本体に対する保護カバーの回動が規制されて、設置面に対して傾いた状態の測定器本体が保護カバーによって支えられた状態となる。これにより、測定器本体の傾きに応じて斜め上向き（真横向きよりもやや上向き）となっている表示部を参照しつつ、切換スイッチ等を操作して各種の測定処理を実行することが可能となる。
【特許文献１】特開平７−３０６２２７号公報（第２−３頁、第１−１１図）
【発明の開示】
【発明が解決しようとする課題】
【０００４】
ところが、従来の測定器には、以下の問題点がある。すなわち、従来の測定器では、設置面に対して傾けた状態の測定器本体を保護カバーによって支えることで、表示部や切換スイッチ等の配設面（正面：以下、「正面パネル」ともいう）を斜め上向きに傾けた状態で使用することが可能に構成されている。しかしながら、従来の測定器では、保護カバーの係合凸部を測定器本体のストッパに係合させることで測定器本体に対する保護カバーの回動を規制する構成のため、係合凸部がストッパに係合している状態から保護カバーをさらに回動させることはできず、結果として、測定器本体をさらに大きく傾けることが困難となっている。このため、例えば机上に設置して使用する際には、上記したように保護カバーを使用して正面パネルを斜め上向きにした状態と、保護カバーを使用せずに測定器本体を水平に設置して正面パネルを真上向きにした状態とのいずれかのみしか選択することができず、従来の測定器には、測定器本体を傾ける角度の自由度が低いことに起因して、表示部の視認性や切換スイッチ等の操作性を向上させるのが困難となっているという問題点がある。
【０００５】
一方、上記の問題点を解決すべく、出願人は、図１４に示す測定装置１ｘを開発している。この測定装置１ｘは、その正面パネル１１ｘに表示部や操作部（図示せず）が配設された装置本体２ｘと、装置本体２ｘに対して回動可能に取り付けられた支持用脚部３ａｘ，３ｂｘと、装置本体２ｘの背面に取り付けられた４つのゴム脚５ａｘおよび装置本体２ｘの底面に取り付けられた４つのゴム脚５ｂｘ（同図では、それぞれ手前側の２つのゴム脚５ａｘ，５ｂｘのみを図示している）とを備えている。
【０００６】
この測定装置１ｘを例えばやや低めの机上に設置して使用する際には、図１５に示すように、支持用脚部３ｂｘを装置本体２ｘ側に収容すると共に支持用脚部３ａｘを装置本体２ｘから突出させ、４つのゴム脚５ａｘのうちの底面側の２つと支持用脚部３ａｘとが設置面Ｐに接触するように設置する。この状態においては、ゴム脚５ａｘよりも支持用脚部３ａｘが長いため、同図に示すように、正面パネル１１ｘが斜め上向き（真上向きよりもやや横向き）に傾いた状態となり、矢印の向きからの表示部の視認性および操作部の操作性が向上する。なお、この状態から支持用脚部３ａｘを装置本体２ｘ側に回動させて（収容して）４つのゴム脚５ａｘが設置面Ｐに接触するように設置することで、正面パネル１１ｘを真上向きにして使用することもできる。
【０００７】
一方、測定装置１ｘを例えばやや高めの机上に設置して使用する際には、図１６に示すように、支持用脚部３ａｘを装置本体２ｘ側に収容すると共に支持用脚部３ｂｘを装置本体２ｘから突出させ、４つのゴム脚５ｂｘのうちの背面側の２つと支持用脚部３ｂｘとが設置面Ｐに接触するように設置する。この状態においては、ゴム脚５ｂｘよりも支持用脚部３ｂｘが長いため、同図に示すように、正面パネル１１ｘが斜め上向き（真横向きよりもやや上向き）に傾いた状態となり、矢印の向きからの表示部の視認性および操作部の操作性が向上する。なお、この状態において、支持用脚部３ｂｘを装置本体２ｘ側に回動させて（収容して）４つのゴム脚５ｂｘが設置面Ｐに接触するように設置することで、正面パネル１１ｘを真横向きにして使用することもできる。
【０００８】
このように、出願人が開発している測定装置１ｘでは、装置本体２ｘの背面および底面に支持用脚部３ａｘ，３ｂｘを取り付けたことにより、正面パネル１１ｘ（表示部や操作部）を真上向きにした状態、正面パネル１１ｘを斜め上向きとした状態（真上向きよりもやや横向きの状態、および真横向きよりもやや上向きの状態）、および正面パネル１１ｘを真横向きにした状態の各設置姿勢のうちから、表示部の視認性や操作部の操作性が最も向上する任意の設置姿勢を選択して使用することが可能となっている。したがって、出願人が開発している測定装置１ｘでは、正面パネルを真上向きにした状態、および正面パネルを斜め上向き（真横向きよりもやや上向き）にした状態の２つの設置姿勢しか選択することができない従来の測定器と比較して、その利便性が向上している。
【０００９】
しかしながら、今日の測定装置では、装置の小型化、軽量化および低消費電力化を図るべく、液晶パネルを採用して表示部を構成したものが増えている。この場合、液晶パネルは、ＣＲＴ等と比較して、表示画面の視認性が高い視野角が狭いことが知られている。このため、出願人が開発している測定装置１ｘには、様々な使用環境（利用者の目線の高さや、設置面の高さの相違）に応じて表示部の傾きを一層細やかに調整して、表示画面の視認性を向上させるのが好ましいという課題が存在する。また、様々な使用環境（利用者の背の高さや、設置面の高さの相違）に応じて、操作部が配設されている正面パネル１１ｘの傾きを一層細やかに調整して操作性を向上させるのが好ましいという課題も存在する。
【００１０】
本発明は、かかる問題点や改善すべき課題に鑑みてなされたものであり、様々な使用環境下における表示部の視認性や操作部の操作性を向上し得る測定装置を提供することを主目的とする。
【課題を解決するための手段】
【００１１】
上記目的を達成すべく請求項１記載の測定装置は、装置本体、および当該装置本体を支持する支持部材を備えて、設置面に対して当該装置本体を傾けた状態で設置可能に構成された測定装置であって、前記支持部材が、前記装置本体の側面を取り囲むようにして配設される枠部と、当該枠部の四隅に取り付けられて当該枠部を支持する４つの脚部と、前記設置面に対して平行となるように前記枠部に配設される回動軸とを備え、前記装置本体を前記設置面から離間させた状態で前記回動軸を中心として回動可能に軸支すると共に、前記４つの脚部を前記設置面に接触させることで前記枠部の開口面を上向きにした状態で前記装置本体を軸支する第１の支持姿勢、および当該４つの脚部のうちの２つを当該設置面に接触させることで当該開口面を横向きにした状態で当該装置本体を軸支する第２の支持姿勢の少なくとも２つの姿勢で設置可能に構成されている。
【００１２】
また、請求項２記載の測定装置は、装置本体、および当該装置本体を支持する支持部材を備えて、設置面に対して当該装置本体を傾けた状態で設置可能に構成された測定装置であって、前記支持部材は、底板および背板で形成される側面視Ｌ字状のベース部と、当該ベース部に取り付けられたステーと、前記設置面に対して平行となるように前記ステーに配設される回動軸とを備え、前記装置本体を前記設置面から離間させた状態で前記回動軸を中心として回動可能に軸支すると共に、前記底板を前記設置面に対向させた状態で当該装置本体を軸支する第１の支持姿勢、および前記背板を前記設置面に対向させた状態で前記装置本体を軸支する第２の支持姿勢の少なくとも２つの姿勢で設置可能に構成されている。
【００１３】
さらに、請求項３記載の測定装置は、請求項１記載の測定装置において、前記回動軸としての第１の固定用ねじと、前記支持部材に対する前記装置本体の回動を規制する第２の固定用ねじとを備え、前記支持部材には、前記第１の固定用ねじを挿通させる第１の挿通孔、および前記第２の固定用ねじを挿通させる第２の挿通孔が形成され、前記装置本体には、前記第１の固定用ねじをねじ込み可能な第１のねじ穴、および前記第２の固定用ねじをねじ込み可能な複数の第２のねじ穴が形成され、前記各第２のねじ穴は、前記第１の挿通孔を介して前記第１の固定用ねじが前記装置本体における前記第１のねじ穴にねじ込まれている状態において前記第２の挿通孔を介して前記第２の固定用ねじを当該装置本体にねじ込み可能な位置に形成されている。
【００１４】
また、請求項４記載の測定装置は、請求項３記載の測定装置において、前記装置本体には、前記第１のねじ穴が複数形成され、前記各第１のねじ穴は、前記第２の挿通孔を介して前記第２の固定用ねじが前記複数の第２のねじ穴のいずれかにねじ込まれている状態において前記第１の挿通孔を介して前記第１の固定用ねじを当該装置本体にねじ込み可能な位置に形成されている。
【発明の効果】
【００１５】
請求項１記載の測定装置では、装置本体を支持する支持部材が、装置本体の側面を取り囲むようにして配設される枠部と、枠部の四隅に取り付けられて枠部を支持する４つの脚部と、設置面に対して平行となるように枠部に配設される回動軸とを備え、装置本体を設置面から離間させた状態で回動軸を中心として回動可能に軸支すると共に、４つの脚部を設置面に接触させることで枠部の開口面を上向きにした状態で装置本体を軸支する第１の支持姿勢、および４つの脚部のうちの２つを設置面に接触させることで開口面を横向きにした状態で装置本体を軸支する第２の支持姿勢の少なくとも２つの姿勢で設置可能に構成されている。したがって、この測定装置によれば、第１の支持姿勢および第２の支持姿勢のいずれにおいても回動軸を中心として支持部材に対して装置本体を回動させることができるため、表示部や操作部が配設された面（正面パネル）が所望の向きを向くように装置本体を傾けた状態で使用することができる。これにより、この測定装置によれば、例えば視認性が良好な視野角が狭い液晶パネル等を採用して表示部を構成したとしても、装置本体を任意の角度に傾けることで、様々の利用環境において表示部の視認性を十分に向上させることができると共に、操作部の操作性が良好となる任意の角度に傾けることで、様々の利用環境において操作部を正確に操作することができる。また、この測定装置によれば、装置本体の側面を取り囲むようにして配設された枠部によって装置本体が保護されるため、測定装置を誤って落下させたり、測定装置上に誤って物品を落下させたりしたときに、装置本体が破損する事態を回避することが可能となる。
【００１６】
また、請求項２記載の測定装置では、装置本体を支持する支持部材が、底板および背板で形成される側面視Ｌ字状のベース部と、ベース部に取り付けられたステーと、設置面に対して平行となるようにステーに配設される回動軸とを備え、装置本体を設置面から離間させた状態で回動軸を中心として回動可能に軸支すると共に、底板を設置面に対向させた状態で装置本体を軸支する第１の支持姿勢および背板を設置面に対向させた状態で装置本体を軸支する第２の支持姿勢の少なくとも２つの姿勢で設置可能に構成されている。したがって、この測定装置によれば、第１の支持姿勢および第２の支持姿勢のいずれにおいても回動軸を中心として支持部材に対して装置本体を回動させることができるため、表示部や操作部が配設された面（正面パネル）が所望の向きを向くように装置本体を傾けた状態で使用することができる。これにより、この測定装置によれば、例えば視認性が良好な視野角が狭い液晶パネル等を採用して表示部を構成したとしても、装置本体を任意の角度に傾けることで、様々の利用環境において表示部の視認性を十分に向上させることができると共に、操作部の操作性が良好となる任意の角度に傾けることで、様々の利用環境において操作部を正確に操作することができる。
【００１７】
さらに、請求項３記載の測定装置では、回動軸としての第１の固定用ねじと、支持部材に対する装置本体の回動を規制する第２の固定用ねじとを備え、第１の固定用ねじを挿通させる第１の挿通孔、および第２の固定用ねじを挿通させる第２の挿通孔が支持部材に形成されると共に、第１の固定用ねじをねじ込み可能な第１のねじ穴、および第２の固定用ねじをねじ込み可能な複数の第２のねじ穴が装置本体に形成され、各第２のねじ穴が、第１の挿通孔を介して第１の固定用ねじが装置本体における第１のねじ穴にねじ込まれている状態において第２の挿通孔を介して第２の固定用ねじを装置本体にねじ込み可能な位置に形成されている。したがって、この測定装置によれば、表示部の視認性や操作部の操作性が良好となるように支持部材に対して装置本体を回動させた状態を確実に維持することができる。
【００１８】
また、請求項４記載の測定装置によれば、第２の挿通孔を介して第２の固定用ねじが複数の第２のねじ穴のいずれかにねじ込まれている状態において第１の挿通孔を介して第１の固定用ねじを装置本体にねじ込み可能な位置に第１のねじ穴を複数形成したことにより、装置本体に対して第１の固定用ねじをねじ込む位置の組み合わせが多くなるため、支持部材に対する装置本体の回動パターンが増える結果、表示部の視認性や操作部の操作性を一層良好とすることができる。
【発明を実施するための最良の形態】
【００１９】
以下、本発明に係る測定装置の最良の形態について、添付図面を参照して説明する。
【００２０】
図１，２に示す測定装置１は、本発明に係る測定装置の一例であって、装置本体２およびプロテクタ３を備えて構成されている。装置本体２は、一例として図示しない測定回路等を収容する筐体（箱体）を備え、その正面パネル１１には、表示部１２および操作部１３が配設されている。この場合、表示部１２は、一例として、液晶パネルを備えて各種表示画面を表示可能に構成されている。また、図２に示すように、装置本体２の筐体における長手方向の端に位置して互いに対向する一対の側面には、装置本体２をプロテクタ３に軸支させるための（固定用ねじ４，４をねじ込むための）ねじ穴１５がそれぞれ形成されている（同図では、一方の側面に形成されたねじ穴１５のみを図示している。
【００２１】
一方、プロテクタ３は、固定用ねじ４，４（本発明における「回動軸」の一例）と相俟って本発明における支持部材を構成し、図１，２に示すように、４つの脚部２１と、フレーム２２（本発明における枠部）とを備えて装置本体２よりも一回り大きい四角枠状（長方形枠状）に形成されている。また、フレーム２２の長手方向の端に位置して互いに対向する一対の枠片２２ａには、固定用ねじ４，４の挿通が可能な挿通孔２５がそれぞれ形成されている。この場合、このプロテクタ３では、両固定用ねじ４，４が設置面Ｐ（図３参照）に対して平行となるように挿通孔２５，２５が形成されている。さらに、プロテクタ３は、その表面が弾性材料（一例として、エラストマー樹脂）でコーティングされている。この場合、この測定装置１では、フレーム２２の挿通孔２５を挿通させた固定用ねじ４を装置本体２のねじ穴１５にねじ込むことにより、固定用ねじ４を介して装置本体２がプロテクタ３によって軸支される構成（装置本体２が回動可能に支持される構成）が採用されている。
【００２２】
また、この測定装置１では、図３，４に示すように、プロテクタ３の４つの脚部２１を設置面Ｐに接触させることでフレーム２２の開口面２２ｂが上向き（真上向き）となっている状態で装置本体２を支持する支持姿勢（本発明における第１の支持姿勢）と、図５〜７に示すように、４つの脚部２１のうちの２つを設置面Ｐに接触させることで開口面２２ｂが横向き（真横向き）となっている状態で装置本体２を支持する支持姿勢（本発明における第２の支持姿勢）との２種類の姿勢のいずれかで設置可能にプロテクタ３が構成されている。さらに、この測定装置１は、固定用ねじ４を緩めることでプロテクタ３に対する装置本体２の回動が許容されて、固定用ねじ４を締め込むことでプロテクタ３に対する装置本体２の回動が規制される構成が採用されている。
【００２３】
この測定装置１を例えばやや低めの机上に設置して使用する際には、図３に示すように、プロテクタ３の４つの脚部２１を設置面Ｐに接触させて、フレーム２２の開口面２２ｂが上向きとなるように（真上向きとなるように）設置する。この場合、利用者が同図の左側に位置しているときには、固定用ねじ４を緩めてプロテクタ３に対して装置本体２を矢印Ａの向き（同図における反時計回り：装置本体２の上端部が利用者に近付く向き）で回動させ、図４に示すように、正面パネル１１が斜め上向き（真上向きよりもやや横向き）となるように設置面Ｐに対して装置本体２を傾ける。
【００２４】
この場合、この測定装置１では、装置本体２がプロテクタ３によって設置面Ｐから離間させられた状態で固定用ねじ４，４によって軸支されているため、利用者の目線の高さや背の高さ、および設置面Ｐ（この例では、机の上面）の高さに応じて装置本体２を自由に回動させることが可能となっている。したがって、表示部１２の視認性や操作部１３の操作性が良好となる任意の角度まで装置本体２を回動させ、その状態において、固定用ねじ４をねじ込む。これにより、矢印の向き（利用者からの向き）からの表示部１２の視認性や操作部１３の操作性が十分に良好となっている状態で、測定装置１を使用した各種の測定処理を実行することが可能となる。
【００２５】
一方、この測定装置１を例えばやや高めの机上に設置して使用する際には、図５に示すように、プロテクタ３における４つの脚部２１のうちの２つを設置面Ｐに接触させて、フレーム２２の開口面２２ｂが横向き（真横向き）となるように設置する。この場合、利用者が同図の左側において立っているとき（利用者の目線や腕が測定装置１よりも高いとき）には、固定用ねじ４を緩めてプロテクタ３に対して装置本体２を矢印Ｂ１の向き（同図における時計回り：装置本体２の上端部が利用者から遠離る向き）で回動させ、図６に示すように、正面パネル１１が斜め上向き（真横向きよりもやや上向き）となるように設置面Ｐに対して装置本体２を傾ける。この場合、前述したように、この測定装置１では、装置本体２を自由に回動させることが可能となっているため、表示部１２の視認性や操作部１３の操作性が良好となる任意の角度まで装置本体２を回動させ、その状態において、固定用ねじ４をねじ込む。これにより、矢印の向き（利用者からの向き）からの表示部１２の視認性や操作部の操作性が十分に良好な状態となる。
【００２６】
また、例えば、利用者の目線や腕の高さよりも高い位置に測定装置１を設置して使用する際には、図５に示すように、フレーム２２の開口面２２ｂが横向きとなるように設置した後に、プロテクタ３に対して装置本体２を矢印Ｂ２の向き（同図における反時計回り：装置本体２の上端部が利用者に近付く向き）で回動させ、図７に示すように、正面パネル１１が斜め下向き（真横向きよりもやや下向き）となるように装置本体２を傾ける。これにより、矢印の向き（利用者からの向き）からの表示部１２の視認性や操作部１３の操作性が十分に良好な状態となる。このように、この測定装置１では、プロテクタ３に対して装置本体２を回動させることで、表示部１２の視認性や操作部１３の操作性が向上する任意の角度で装置本体２を傾けて使用することが可能となっている。
【００２７】
また、この測定装置１では、装置本体２の外形よりも大きい四角枠状に形成したプロテクタ３によって装置本体２を支持する構成が採用されている。このため、この測定装置１では、図３〜７のいずれの設置姿勢においても、装置本体２の周囲に存在するプロテクタ３のフレーム２２（４つの枠片２２ａ）によって装置本体２が保護された状態となっている。したがって、測定装置１を誤って落下させたとしても、装置本体２が設置面Ｐに直接当接する事態が回避され、また測定中に例えば冊子等の物品を測定装置１に向けて落下させたとしても、物品が装置本体２に直接当接する事態が回避される。また、プロテクタ３が弾性材料（この例では、エラストマー樹脂）でコーティングされているため、プロテクタ３や、設置面Ｐ（机の上面など）の傷付きが回避されると共に、設置面Ｐに対してプロテクタ３が滑り難くなっている。
【００２８】
さらに、出願人が開発している従来の測定装置１ｘでは、細い（小さな）支持用脚部３ａｘ，３ｂｘによって比較的重い装置本体２ｘを支持する構成が採用されており、支持用脚部３ａｘ，３ｂｘによって測定装置１ｘを傾けている状態において測定装置１ｘ上に物品を誤って落下させたときには、支持用脚部３ａｘ，３ｂｘを破損するおそれがある。これに対して、十分に大きなプロテクタ３（支持部材）によって装置本体２を支持する構成の測定装置１では、測定装置１上に物品を落下させたとしてもプロテクタ３の破損を回避することが可能となっている。また、十分に大きなプロテクタ３によって装置本体２を支持する（軸支する）構成の測定装置１では、装置本体２を傾けた状態において例えば利用者の手が装置本体２に当たったとしても、測定装置１が転倒する事態を回避することが可能となっている。
【００２９】
このように、この測定装置１によれば、装置本体２を支持するプロテクタ３が、４つの脚部２１と、装置本体２の側面を取り囲むようにして配設されるフレーム２２と、設置面Ｐに対して平行となるようにフレーム２２に配設される固定用ねじ４，４とを備え、装置本体２を設置面Ｐから離間させた状態で固定用ねじ４，４を中心として回動可能に軸支すると共に、４つの脚部２１を設置面Ｐに接触させることでフレーム２２の開口面２２ｂを上向きにした状態で装置本体２を軸支する第１の支持姿勢、および４つの脚部２１のうちの２つを設置面Ｐに接触させることで開口面２２ｂを横向きにした状態で装置本体２を軸支する第２の支持姿勢の少なくとも２つの姿勢で設置可能に構成されている。
【００３０】
したがって、この測定装置１によれば、本発明における第１の支持姿勢および第２の支持姿勢のいずれにおいても固定用ねじ４，４を中心としてプロテクタ３に対して装置本体２を回動させることができるため、正面パネル１１が所望の向きを向くように装置本体２を傾けた状態で使用することができる。これにより、この測定装置１によれば、例えば視認性が良好な視野角が狭い液晶パネル等を採用して表示部１２を構成したとしても、装置本体２を任意の角度に傾けることで、様々の利用環境において表示部１２の視認性を十分に向上させることができると共に、操作部１３の操作性が良好となる任意の角度に傾けることで、様々の利用環境において操作部１３を正確に操作することができる。また、この測定装置１によれば、装置本体２の側面を取り囲むようにして配設されたプロテクタ３（フレーム２２）によって装置本体２が保護されるため、測定装置１を誤って落下させたり、測定装置１上に誤って物品を落下させたりしたときに、装置本体２が破損する事態を回避することが可能となる。
【００３１】
なお、本発明は、上記の構成に限定されない。例えば、一対の固定用ねじ４，４によって装置本体２をプロテクタ３に軸支した構成の測定装置１について説明したが、図８〜図１１に示す測定装置１Ａのように、２つの固定用ねじ４ａおよび２つの固定用ねじ４ｂ（同図では、１つの固定用ねじ４ａおよび１つの固定用ねじ４ｂのみを図示している）によって、装置本体２を支持する構成を採用することもできる。なお、この測定装置１Ａおよび後述する測定装置１Ｂにおいて上記の測定装置１と同様の構成要素については、同一の符号を付して重複する説明を省略する。
【００３２】
図８〜図１１に示すように、測定装置１Ａにおける装置本体２（筐体）の長手方向の端に位置して互いに対向する一対の側面には、装置本体２をプロテクタ３に支持させるための（固定用ねじ４ａ，４ｂをねじ込むための）複数のねじ穴として例えば各３つのねじ穴１５ａ１〜１５ａ３，１５ｂ１〜１５ｂ３がそれぞれ形成されている。この場合、この測定装置１Ａでは、一例として、ねじ穴１５ｂ２からの距離が等しい位置にねじ穴１５ａ１〜１５ａ３が形成され（ねじ穴１５ｂ２を中心とする円弧上にねじ穴１５ａ１〜１５ａ３が形成され）ると共に、ねじ穴１５ａ２からの距離が等しい位置にねじ穴１５ｂ１〜１５ｂ３が形成され（ねじ穴１５ａ２を中心とする円弧上にねじ穴１５ｂ１〜１５ｂ３が形成され）ている。
【００３３】
また、この測定装置１Ａにおけるプロテクタ３では、フレーム２２の長手方向の端に位置して互いに対向する一対の枠片２２ａに固定用ねじ４ａ，４ｂ（本発明における「第１の固定用ねじ」および「第２の固定用ねじ」）の挿通が可能な挿通孔２５ａ，２５ｂ（本発明における「第１の挿通孔」および「第２の挿通孔」：図８参照）がそれぞれ形成されている。この場合、挿通孔２５ａ，２５ｂは、枠片２２ａの長尺方向に沿って長い長孔状に形成されている。なお、この挿通孔２５ａ，２５ｂを十分に長い長孔に形成することで、上記のねじ穴１５ａ１〜１５ａ３，１５ｂ１〜１５ｂ３については、例えば、ねじ穴１５ａ１，１５ｂ１間の距離、ねじ穴１５ａ２，１５ｂ２間の距離、およびねじ穴１５ａ３，１５ｂ３間の距離が互いに等しくなるように形成することもできる。
【００３４】
この測定装置１Ａでは、正面パネル１１を真上向きにする際に、図８に示すように、フレーム２２に形成された両挿通孔２５ａ，２５ｂを介して固定用ねじ４ａ，４ｂを例えばねじ穴１５ａ２，１５ｂ２（図９，１０参照）にねじ込んだ状態において、プロテクタ３の４つの脚部２１を設置面Ｐに接触させて、フレーム２２の開口面２２ｂが上向き（真上向き）となる状態で装置本体２を支持するように設置する（本発明における第１の支持姿勢）。これにより、真上からの表示部１２の視認性や操作部１３の操作性を十分に向上させることができる。この場合、ねじ穴１５ａ２，１５ｂ２に代えて、ねじ穴１５ａ１，１５ｂ１、または、ねじ穴１５ａ３，１５ｂ３に固定用ねじ４ａ，４ｂをねじ込むことでも、正面パネル１１が真上を向くように設置することができる。
【００３５】
また、一例として、図９に示すように、固定用ねじ４ａを本発明における第１の固定用ねじとして機能させると共にねじ穴１５ａ２を本発明における第１のねじ穴として機能させて挿通孔２５ａを介してねじ穴１５ａ２に固定用ねじ４ａをねじ込んだ状態において、固定用ねじ４ｂを本発明における第２の固定用ねじとして機能させると共にねじ穴１５ｂ３を本発明における第２のねじ穴として機能させて挿通孔２５ｂを介してねじ穴１５ｂ３に固定用ねじ４ｂをねじ込むことにより、プロテクタ３に対して装置本体２を傾けて（固定用ねじ４ａを回動軸として図８に示すＣ１の向きに装置本体２を回動させて）、正面パネル１１が斜め上向き（真上向きよりもやや横向き）となるように設置することもできる。これにより、矢印の向きからの表示部１２の視認性や操作部１３の操作性を十分に向上させることができる。この際に、固定用ねじ４ｂをねじ穴１５ｂ３にねじ込んだ状態において、固定用ねじ４ａをねじ穴１５ａ１にねじ込むことで、装置本体２をさらに大きく傾けることもできる（図示せず）。
【００３６】
一方、正面パネル１１を横向きにする際には、挿通孔２５ａ，２５ｂを介して固定用ねじ４ａ，４ｂの双方を例えばねじ穴１５ａ２，１５ｂ２にねじ込んだ状態において、プロテクタ３の４つの脚部２１のうちの２つを設置面Ｐに接触させて、フレーム２２の開口面２２ｂが横向き（真横向き）となる状態で装置本体２を支持するように設置する（本発明における第２の支持姿勢：図示せず）。これにより、真横からの表示部１２の視認性や操作部１３の操作性を十分に向上させることができる。この場合、ねじ穴１５ａ２，１５ｂ２に代えて、ねじ穴１５ａ１，１５ｂ１、または、ねじ穴１５ａ３，１５ｂ３に固定用ねじ４ａ，４ｂをねじ込むことでも、正面パネル１１が真横を向くように設置することができる。
【００３７】
さらに、一例として、図１０に示すように、固定用ねじ４ｂを本発明における第１の固定用ねじとして機能させると共にねじ穴１５ｂ２を本発明における第１のねじ穴として機能させて挿通孔２５ｂを介してねじ穴１５ｂ２に固定用ねじ４ｂをねじ込んだ状態において、固定用ねじ４ａを本発明における第２の固定用ねじとして機能させると共にねじ穴１５ａ３を本発明における第２のねじ穴として機能させて挿通孔２５ａを介してねじ穴１５ａ３に固定用ねじ４ａをねじ込むことにより、プロテクタ３に対して装置本体２を傾けて（固定用ねじ４ａを回動軸として図８に示すＣ２の向きに装置本体２を回動させて）、正面パネル１１が斜め上向き（真横向きよりもやや上向き）となるように設置することもできる。これにより、矢印の向きからの表示部１２の視認性や操作部１３の操作性を十分に向上させることができる。この際に、固定用ねじ４ａをねじ穴１５ａ３にねじ込んだ状態において、固定用ねじ４ｂをねじ穴１５ｂ１にねじ込むことで、装置本体２をさらに大きく傾けることもできる（図示せず）。
【００３８】
また、一例として、図１１に示すように、固定用ねじ４ａを本発明における第１の固定用ねじとして機能させると共にねじ穴１５ａ２を本発明における第１のねじ穴として機能させて挿通孔２５ａを介してねじ穴１５ａ２に固定用ねじ４ａをねじ込んだ状態において、固定用ねじ４ｂを本発明における第２の固定用ねじとして機能させると共にねじ穴１５ｂ３を本発明における第２のねじ穴として機能させて挿通孔２５ｂを介してねじ穴１５ｂ３に固定用ねじ４ｂをねじ込むことにより、プロテクタ３に対して装置本体２を傾けて（固定用ねじ４ａを回動軸として図８に示すＣ１の向きに装置本体２を回動させて）、正面パネル１１が斜め下向き（真横向きよりもやや下向き）となるように設置することもできる。これにより、矢印の向きからの表示部１２の視認性や操作部１３の操作性を十分に向上させることができる。この際に、固定用ねじ４ｂをねじ穴１５ｂ３にねじ込んだ状態において、固定用ねじ４ａをねじ穴１５ａ１にねじ込むことで、装置本体２をさらに大きく傾けることもできる（図示せず）。
【００３９】
このように、この測定装置１Ａによれば、前述した測定装置１と同様にして、本発明における第１の支持姿勢および第２の支持姿勢のいずれにおいても固定用ねじ４ａおよび固定用ねじ４ｂのいずれかを中心としてプロテクタ３に対して装置本体２を回動させることができるため、正面パネル１１が所望の向きを向くように装置本体２を傾けた状態で使用することができる。これにより、この測定装置１Ａによれば、例えば視認性が良好な視野角が狭い液晶パネル等を採用して表示部１２を構成したとしても、装置本体２を任意の角度に傾けることで、様々の利用環境において表示部１２の視認性を十分に向上させることができると共に、操作部１３の操作性が良好となる任意の角度に傾けることで、様々の利用環境において操作部１３を正確に操作することができる。また、この測定装置１Ａによれば、装置本体２の側面を取り囲むようにして配設されたプロテクタ３（フレーム２２）によって装置本体２が保護されるため、測定装置１Ａを誤って落下させたり、測定装置１Ａ上に誤って物品を落下させたりしたときに、装置本体２が破損する事態を回避することが可能となる。
【００４０】
また、この測定装置１Ａでは、本発明における回動軸としての第１の固定用ねじ（固定用ねじ４ａ，４ｂのいずれか一方）と、プロテクタ３に対する装置本体２の回動を規制する第２の固定用ねじ（固定用ねじ４ａ，４ｂのいずれか他方）とを備え、固定用ねじ４ａ，４ｂを挿通させる第１の挿通孔および第２の挿通孔（挿通孔２５ａ，２５ｂ）がプロテクタ３に形成されると共に、固定用ねじ４ａ，４ｂをねじ込み可能なねじ穴１５ａ１〜１５ａ３，１５ｂ１〜１５ｂ３（第１のねじ穴および第２のねじ穴）が装置本体２に形成され、各第２のねじ穴（例えばねじ穴１５ｂ１〜１５ｂ３）が、本発明における第１の挿通孔（例えば挿通孔２５ａ）を介して第１の固定用ねじ（例えば固定用ねじ４ａ）が装置本体２における第１のねじ穴（例えばねじ穴１５ａ２）にねじ込まれている状態において本発明における第２の挿通孔（この例では、挿通孔２５ｂ）を介して第２の固定用ねじ（この例では、固定用ねじ４ｂ）を装置本体２にねじ込み可能な位置に形成されている。したがって、この測定装置１Ａによれば、表示部１２の視認性や操作部１３の操作性が良好となるようにプロテクタ３に対して装置本体２を回動させた状態を確実に維持することができる。
【００４１】
さらに、この測定装置１Ａによれば、本発明における第２の挿通孔（例えば挿通孔２５ｂ）を介して第２の固定用ねじ（例えば固定用ねじ４ｂ）がねじ穴１５ｂ１〜１５ｂ３のいずれかにねじ込まれている状態において本発明における第１の挿通孔（この例では、挿通孔２５ａ）を介して第１の固定用ねじ（この例では、固定用ねじ４ａ）を装置本体２にねじ込み可能な位置に第１のねじ穴（ねじ穴１５ａ１〜１５ａ３）を複数形成したことにより、装置本体２に対して固定用ねじ４ａ，４ｂをねじ込む位置の組み合わせが多くなるため、プロテクタ３に対する装置本体２の回動パターンが増える結果、表示部１２の視認性や操作部１３の操作性を一層良好とすることができる。
【００４２】
また、４つの脚部２１およびフレーム２２によって四角枠状に形成されたプロテクタ３を有する測定装置１，１Ａについて説明したが、本発明における支持部材の構成はこれに限定されない。例えば、図１２，１３に示すように、測定装置１，１Ａにおけるプロテクタ３に代えて、底板３１および背板３２を備えて側面視Ｌ字状に形成されたベース部３３に固定用ねじ４を支えるためのステー３４を取り付けたスタンド３Ｂ（本発明における支持部材の他の一例）によって装置本体２を軸支する構成を採用することができる。この測定装置１Ｂでは、図１２に示すように、スタンド３Ｂにおけるベース部３３の背板３２を設置面Ｐに対向させた状態で装置本体２の正面パネル１１を上向きにした状態で支持する支持姿勢（本発明における第２の支持姿勢）と、図１３に示すように、ベース部３３の底板３１を設置面Ｐに対向させた状態で装置本体２の正面パネル１１を横向きにした状態で支持する支持姿勢（本発明における第１の支持姿勢）とのいずれかの姿勢で設置可能に構成されている。
【００４３】
また、この測定装置１Ｂでは、スタンド３Ｂが上記の両支持姿勢のいずれの状態となるように設置した場合であっても、固定用ねじ４を回動中心としてスタンド３Ｂに対して装置本体２を矢印Ｄ１，Ｄ２の向きに回動させる（傾ける）ことが可能となっている。これにより、図１２，１３に示すように、装置本体２の傾きに応じて矢印の向きからの表示部１２の視認性や操作部１３の操作性が十分に良好な状態となる。
【００４４】
このように、この測定装置１Ｂでは、装置本体２を支持するスタンド３Ｂが、底板３１および背板３２で形成される側面視Ｌ字状のベース部３３と、ベース部３３に取り付けられたステー３４と、設置面Ｐに対して平行となるようにステー３４に配設される固定用ねじ４，４とを備え、装置本体２を設置面Ｐから離間させた状態で固定用ねじ４，４を中心として回動可能に軸支すると共に、底板３１を設置面Ｐに対向させた状態で装置本体２を軸支する第１の支持姿勢および背板３２を設置面Ｐに対向させた状態で装置本体２を軸支する第２の支持姿勢の少なくとも２つの姿勢で設置可能に構成されている。
【００４５】
したがって、この測定装置１Ｂによれば、上記の測定装置１，１Ａと同様にして、本発明における第１の支持姿勢および第２の支持姿勢のいずれにおいても固定用ねじ４を中心としてスタンド３Ｂに対して装置本体２を回動させることができるため、正面パネル１１が所望の向きを向くように装置本体２を傾けた状態で使用することができる。これにより、この測定装置１Ｂによれば、例えば視認性が良好な視野角が狭い液晶パネル等を採用して表示部１２を構成したとしても、装置本体２を任意の角度に傾けることで、様々の利用環境において表示部１２の視認性を十分に向上させることができると共に、操作部１３の操作性が良好となる任意の角度に傾けることで、様々の利用環境において操作部１３を正確に操作することができる。
【図面の簡単な説明】
【００４６】
【図１】測定装置１の外観斜視図である。
【図２】測定装置１の分解斜視図である。
【図３】第１の支持姿勢のプロテクタ３によって支持された装置本体２の正面パネル１１を真上向きにした状態の測定装置１の側面図である。
【図４】第１の支持姿勢のプロテクタ３によって支持された装置本体２の正面パネル１１を斜め上向き（真上向きよりもやや横向き）にした状態の測定装置１の側面図である。
【図５】第２の支持姿勢のプロテクタ３によって支持された装置本体２の正面パネル１１を真横向きにした状態の測定装置１の側面図である。
【図６】第２の支持姿勢のプロテクタ３によって支持された装置本体２の正面パネル１１を斜め上向き（真横向きよりもやや上向き）にした状態の測定装置１の側面図である。
【図７】第２の支持姿勢のプロテクタ３によって支持された装置本体２の正面パネル１１を斜め下向きにした状態の測定装置１の側面図である。
【図８】測定装置１Ａの側面図である。
【図９】第１の支持姿勢のプロテクタ３によって支持された装置本体２の正面パネル１１を斜め上向き（真上向きよりもやや横向き）にした状態の測定装置１Ａの側面図である。
【図１０】第２の支持姿勢のプロテクタ３によって支持された装置本体２の正面パネル１１を斜め上向き（真横向きよりもやや上向き）にした状態の測定装置１Ａの側面図である。
【図１１】第２の支持姿勢のプロテクタ３によって支持された装置本体２の正面パネル１１を斜め下向きにした状態の測定装置１Ａの側面図である。
【図１２】装置本体２が第１の支持姿勢のスタンド３Ｂによって支持された状態の測定装置１Ｂの側面図である。
【図１３】装置本体２が第２の支持姿勢のスタンド３Ｂによって支持された状態の測定装置１Ｂの側面図である。
【図１４】出願人が開発している測定装置１ｘの側面図である。
【図１５】正面パネル１１ｘを斜め上向き（真上向きよりもやや横向き）にした状態の測定装置１ｘの側面図である。
【図１６】正面パネル１１ｘを斜め上向き（真横向きよりもやや上向き）にした状態の測定装置１ｘの側面図である。
【符号の説明】
【００４７】
１，１Ａ，１Ｂ  測定装置
２  装置本体
３  プロテクタ
３Ｂ  スタンド
４，４ａ，４ｂ  固定用ねじ
１１  正面パネル
１２  表示部
１３  操作部
１５，１５ａ１〜１５ａ３，１５ｂ１〜１５ｂ３  ねじ穴
２１  脚部
２２  フレーム
２２ｂ  開口面
２５，２５ａ，２５ｂ  挿通孔
３１  底板
３２  背板
３３  ベース部
Ｐ  設置面
【図１】
0005089275.tif 000002
【図２】
0005089275.tif 000003
【図３】
0005089275.tif 000004
【図４】
0005089275.tif 000005
【図５】
0005089275.tif 000006
【図６】
0005089275.tif 000007
【図７】
0005089275.tif 000008
【図８】
0005089275.tif 000009
【図９】
0005089275.tif 000010
【図１０】
0005089275.tif 000011
【図１１】
0005089275.tif 000012
【図１２】
0005089275.tif 000013
【図１３】
0005089275.tif 000014
【図１４】
0005089275.tif 000015
【図１５】
0005089275.tif 000016
【図１６】
0005089275.tif 000017